(57)【要約】　【課題】　ユニット装着部３ａ〜３ｎに装着される制御指示ユニットの機能の判別を、非常に簡単な構成により、製造コストを上昇させずに行うことを可能にした車載機器制御装置を提供する。　【解決手段】　それぞれ異なる制御指示機能を有し、かつ、異なる抵抗値を有する識別抵抗を内蔵した複数種別の制御指示ユニットと、複数種別の制御指示ユニットを着脱自在に装着可能なユニット装着部３ａ〜３ｎと、複数種別の制御指示ユニットのいずれかがユニット装着部３ａ〜３ｎに装着された際に、種別判定用抵抗４ａ〜４ｎと内蔵した識別抵抗とで抵抗分圧器が構成され、それらの抵抗分圧器からの分圧電圧を検出し、得られた分圧電圧値に基づいて装着された制御指示ユニットの種別を判定する制御指示ユニット判定部とからなる。　【選択図】　図１
2004111399.tif 000002
【特許請求の範囲】
【請求項１】
それぞれ異なるスイッチ機能を有する複数種別の制御指示ユニットと、前記複数種別の制御指示ユニットを装着可能なユニット装着部と、前記装着された制御指示ユニットの種別を判定する制御指示ユニット判定部とを備えた車載機器制御装置において、前記複数種別の制御指示ユニットにその種別毎に異なる抵抗値を有する識別抵抗を配置し、前記制御指示ユニット判定部に前記識別抵抗とともに抵抗分圧器を構成する種別判定用抵抗を配置し、前記制御指示ユニット判定部は、前記複数種別の制御指示ユニットのいずれかが前記ユニット装着部に装着された際に、それぞれの抵抗分圧器から得られた分圧電圧値に基づいて装着された制御指示ユニットの種別を判定することを特徴とする車載機器制御装置。
【請求項２】
前記ユニット装着部は前記複数種別の制御指示ユニットのいずれかを選択的に装着可能であって、前記制御指示ユニット判定部は選択的に装着された制御指示ユニットの種別を判定することを特徴とする請求項１に記載の車載機器制御装置。
【請求項３】
前記制御指示ユニット判定部は、前記制御指示ユニットの種別を判定する際に得られた分圧電圧値を順次選択して判定していることを特徴とする請求項１に記載の車載機器制御装置。
【発明の詳細な説明】
【技術分野】
【０００１】
　本発明は、スイッチや可変抵抗器等、制御内容を操作指示する部材を備えた車載機器制御装置に係わり、特に、異なるスイッチ機能を有する複数種別の制御指示ユニットの中の任意の制御指示ユニットを制御機器のスイッチ装着部に装着して使用する場合、装着した制御指示ユニットのスイッチ機能の種別を制御機器において自動的に判別可能な車載機器制御装置に関する。
【背景技術】
【０００２】
　従来、自動車のインストルメントパネルのパネル面に自動車のルーム内の空調を制御調整する複数の手動スイッチが配置されており、その複数のスイッチのいずれかのスイッチを選択的に操作することにより、自動車のルーム内の空調を冷房状態、暖房状態等に切替えたり、冷房時の温度または暖房時の温度をそれぞれ上昇させたり、下降させたりしている。
【０００３】
　また、最近になって、ユーザーの要望により、インストルメントパネルのパネル面に、自動車のルーム内の空調を制御調整する複数の手動スイッチの他に、複数個のオプション用手動スイッチの装着を可能にしたスイッチ組込部を備えたもの、即ち、複数種別の制御指示ユニットをそれぞれ装着可能なユニット装着部を有するもので、ユニット装着部に、ユーザーが要望する機能、例えば、ヘッドライト光軸調整、フォグランプ点灯制御、トランク開等の機能を達成する１個または異なる種別の複数個の制御指示ユニットを装着させ、装着させた制御指示ユニットのスイッチ操作を行うことにより、ユーザーオプションに対応できるようにしたスイッチ装置が提案されている。
【０００４】
　この場合、前記提案によるスイッチ装置は、いずれの種別の制御指示ユニットについてもユニット装着部に装着可能であり、しかも、制御指示ユニットからのスイッチング信号を制御機器の制御部（ＣＰＵ）で処理することにより、いずれの種別の制御指示ユニットがユニット装着部に装着されても、装着された制御指示ユニットのスイッチ操作により、その制御指示ユニットの機能を達成することができるものである。
【０００５】
　ところで、前記既知のスイッチ装置においては、制御指示ユニットをユニット装着部に装着させた際に、その制御指示ユニットを自動的に判別する機能を備えた車載機器制御装置が考案され、その一例として、特開平７−２６２８６７号に開示のスイッチ装置を挙げることができる。
【０００６】
　この特開平７−２６２８６７号に開示のスイッチ装置は、複数種別の制御指示ユニットと、これら制御指示ユニットをユニット装着部に選択的に装着させる制御機器と、制御機器に内蔵される制御回路ユニットとからなり、制御指示ユニット側にその制御指示ユニットに特有の認識信号を発生する認識信号発生手段を設け、制御回路ユニット側に認識信号を受領して所定の負荷を駆動させる駆動信号を発生するスイッチ判別回路を設けているものである。この場合、認識信号発生手段は、制御指示ユニットの種別毎に異なる内部配線を有するもので、制御指示ユニットのスイッチを操作（オン）した際に異なる認識信号（スイッチ信号）を出力するものであり、また、スイッチ判別回路は、複数の論理回路と複数の入力端子と複数の出力端子を有するもので、装着された制御指示ユニットから認識信号（スイッチ信号）が複数の入力端子のいずれかに供給された場合、供給された入力端子及び供給される認識信号（スイッチ信号）の極性等に対応して、いずれかの出力端子に装着された制御指示ユニットの機能に対応する負荷に供給する駆動信号を発生するものである。
【０００７】
　このように、前記特開平７−２６２８６７号に開示のスイッチ装置によれば、所望の種別の制御指示ユニットを制御回路ユニットのユニット装着部に装着し、かつ、その制御指示ユニットのスイッチをオンした際に、制御指示ユニットからその制御指示ユニットの機能に特有な認識信号を発生して制御回路ユニットのスイッチ判別回路に供給し、スイッチ判別回路が受領した認識信号に基づいて装着された制御指示ユニットの種別の判別を行っているものであるから、ユニット装着部に装着する制御指示ユニットを交換するだけで、種々の機能の制御指示ユニットの判別を自動的に行い、その制御指示ユニットの機能に対応した動作を実行させることができる。
【０００８】
　ところで、前記特開平７−２６２８６７号に開示のスイッチ装置は、制御指示ユニットを制御回路ユニットのユニット装着部に装着するだけで、種々の機能の制御指示ユニットの判別を自動的に行い、その制御指示ユニットの機能に対応した動作を実行させることができるものであるが、制御指示ユニットの機能の判別のために、制御指示ユニット側においては、制御指示ユニットの種別毎に、スイッチを含んだ異なる内部配線を行わねばならず、また、制御回路ユニット側においては、複数の論理回路と複数の入力端子と複数の出力端子を有するスイッチ判別回路を設けねばならず、制御指示ユニットの判別手段が複雑であって、自ずと制御回路ユニットの製造コストが高くなってしまうという問題を有している。
　また、前記スイッチ判別回路においては、自ずと論理回路の組み合わせに制限があり、制御指示ユニットの種類を多くすることができないという問題を有している。
【０００９】
　また、前記スイッチ判別回路においては、自ずと論理回路の組み合わせに制限があり、制御指示ユニットの種類を多くすることができないという問題を有している。
【特許文献１】特開平７−２６２８６７号公報
【発明の開示】
【発明が解決しようとする課題】
【００１０】
　本発明は、これらの問題点を解決するもので、その目的は、スイッチ、可変抵抗器等を備えた制御指示ユニットの機能の判別を、非常に簡単な構成により、製造コストを上昇させずに行うことを可能にした車載機器制御装置を提供することにある。
【課題を解決するための手段】
【００１１】
　前記目的を達成するために、本発明の車載機器制御装置は、それぞれ異なるスイッチ機能を有する複数種別の制御指示ユニットと、前記複数種別の制御指示ユニットを装着可能なユニット装着部と、前記装着された制御指示ユニットの種別を判定する制御指示ユニット判定部とを備えた車載機器制御装置において、前記複数種別の制御指示ユニットにその種別毎に異なる抵抗値を有する識別抵抗を配置し、前記制御指示ユニット判定部に前記識別抵抗とともに抵抗分圧器を構成する種別判定用抵抗を配置し、前記制御指示ユニット判定部は、前記複数種別の制御指示ユニットのいずれかが前記ユニット装着部に装着された際に、それぞれの抵抗分圧器から得られた分圧電圧値に基づいて装着された制御指示ユニットの種別を判定する手段を具備する。
【発明の効果】
【００１２】
　本発明によれば、制御指示ユニットの機能の判別を行う場合、制御指示ユニット側においては、制御指示ユニットの機能種別にそれぞれ対応する回路定数を有する識別素子を配置するだけでよく、制御機器側においては、制御指示ユニットに内蔵配置された識別素子の回路定数に依存する値を検出するだけでよいので、簡単な構成及び機能により、かつ、安価な手段によって制御指示ユニットの機能の判別を行うことができる。この場合、特に、識別素子として異なる抵抗値を有する抵抗素子を用い、制御指示ユニットの種別を判定する制御指示ユニット判定部を抵抗素子を含む分圧抵抗器で構成すれば、制御指示ユニットの機能の判別を、一層簡単な構成及び機能により、かつ、最も安価な手段によって制御指示ユニットの機能の判別を行うことができる。
【発明を実施するための最良の形態】
【００１３】
　本発明の最良な実施の形態において、車載機器制御装置は、それぞれ異なるスイッチ機能を有する複数種別の制御指示ユニットと、複数種別の制御指示ユニットを装着可能なユニット装着部と、装着された制御指示ユニットの種別を判定する制御指示ユニット判定部とを備え、複数種別の制御指示ユニットにその種別毎に異なる抵抗値を有する識別抵抗を配置し、制御指示ユニット判定部に識別抵抗とともに抵抗分圧器を構成する種別判定用抵抗を配置して、制御指示ユニット判定部において、複数種別の制御指示ユニットのいずれかがユニット装着部に装着された際に、それぞれの抵抗分圧器から得られた分圧電圧値に基づいて装着された制御指示ユニットの種別を判定するようにしている。
【実施例】
【００１４】
　以下、本発明の実施例を図面を参照して説明する。
【００１５】
　図１は、本発明による車載機器制御装置の一実施例の主要構成部分を示す回路図であり、図２（ａ）乃至（ｅ）は、本発明による車載機器制御装置に用いられる各種の制御指示ユニットの内部構成図であり、図３は、本発明による車載機器制御装置を車載用制御機器に組み込んだ場合の構成の一例を示す外観図である。
【００１６】
　図１及び図２（ａ）乃至（ｅ）に示されるように、車載機器制御装置は、制御部１と、選択回路２と、複数個（ｎ個）のユニット装着部３ａ、３ｂ、３ｃ、…　…、３ｎと、複数個（ｎ個）の等しい抵抗値を有する種別判定用抵抗４ａ、４ｂ、４ｃ、…　…、４ｎと、複数個（２ｎ個）のバッファ用ダイオード５ａ1 、５ａ2 、５ｂ1 、５ｂ2 、５ｃ1 、５ｃ2 、…　…、５ｎ1 、５ｎ2 と、ユニット装着部３ａ乃至３ｎに選択的に装着される５つの種別の制御指示ユニット６ａ、６ｂ、６ｃ、６ｄ、６ｅとからなっている。
【００１７】
　この場合、ユニット装着部３ａ乃至３ｎは、縦長の箱型形状のもので、前面に操作部が設けられ、後側に１番乃至１０番からなる１０個のピン受け端子が設けられている。そして、ユニット装着部３ａ乃至３ｎに制御指示ユニット６ａ乃至６ｅのいずれか１つの制御指示ユニット、例えば制御指示ユニット６ａが装着されるとき、ユニット装着部３ａ乃至３ｎの内部に設けられている１番乃至１０番からなる１０本のピンが制御指示ユニット６ａの１番乃至１０番のピン受け端子に挿入される。
【００１８】
　図１に図示されるように、それぞれのユニット装着部３ａ乃至３ｎにおいて、４番のピンは、それぞれ種別判定用抵抗４ａ乃至４ｎを介して制御部１の電源電圧出力端子に接続され、同時に、選択回路２の対応する選択入力端子に各別に接続される。５番のピンは、いずれも接地接続される。８番のピンは、ユニット装着部３ａ乃至３ｃのものが共通接続されて制御部１の１つの共通端子に接続され、ユニット装着部３ａ乃至３ｃ以外のものが共通接続されて制御部１の他の共通端子に接続される。９番のピンは、バッファ用ダイオード５ａ1 乃至５ｎ1 を介して制御部１の対応する制御端子に各別に接続され、１０番のピンも、バッファ用ダイオード５ａ2 乃至５ｎ2 を介して制御部１の対応する制御端子に各別に接続される。
【００１９】
　また、図２（ａ）に図示されるように、制御指示ユニット６ａは、１番のピン受け端子と５番のピン受け端子とが共通接続され、３番のピン受け端子と５番のピン受け端子との間に表示用ランプ７ａが、４番のピン受け端子と５番のピン受け端子との間に識別抵抗８ａがそれぞれ接続される。６番のピン受け端子と７番のピン受け端子との間に抵抗９ａと動作表示用発光ダイオード（ＬＥＤ）１０ａが直列接続され、８番のピン受け端子と１０番のピン受け端子との間に単極スイッチ１１ａが接続される。また、２番のピン受け端子と９番のピン受け端子は、開放されている。
【００２０】
　図２（ｂ）に図示されるように、制御指示ユニット６ｂは、１番のピン受け端子と５番のピン受け端子とが共通接続され、３番のピン受け端子と５番のピン受け端子との間に表示用ランプ７ｂが、４番のピン受け端子と５番のピン受け端子との間に識別抵抗８ｂがそれぞれ接続される。８番のピン受け端子と１０番のピン受け端子との間に単極スイッチ１１ｂが接続される。また、２番のピン受け端子、６番のピン受け端子、７番のピン受け端子、９番のピン受け端子は、いずれも開放されている。
【００２１】
　図２（ｃ）に図示されるように、制御指示ユニット６ｃは、１番のピン受け端子と５番のピン受け端子とが共通接続され、３番のピン受け端子と５番のピン受け端子との間に表示用ランプ７ｃが、４番のピン受け端子と５番のピン受け端子との間に識別抵抗８ｃがそれぞれ接続される。７番のピン受け端子と１０番のピン受け端子との間及び８番のピン受け端子と９番のピン受け端子との間に位相差をもって連動する２連単極スイッチ１３ｃが接続される。また、２番のピン受け端子及び６番のピン受け端子は、いずれも開放されている。
【００２２】
　図２（ｄ）に図示されるように、制御指示ユニット６ｄは、１番のピン受け端子に可変抵抗器チ１２ｄの摺動子が、２番のピン受け端子と５番のピン受け端子との間に可変抵抗器１２ｄの抵抗部が、４番のピン受け端子と５番のピン受け端子との間に識別抵抗８ｄがそれぞれ接続される。また、６番のピン受け端子乃至１０番のピン受け端子は、いずれも開放されている。
【００２３】
　図２（ｅ）に図示されるように、制御指示ユニット６ｅは、１番のピン受け端子に可変抵抗器１２ｅの摺動子が、２番のピン受け端子と５番のピン受け端子との間に可変抵抗器１２ｅの抵抗部が、４番のピン受け端子と５番のピン受け端子との間に識別抵抗８ｅがそれぞれ接続される。６番のピン受け端子と７番のピン受け端子との間に抵抗９ｅと動作表示用発光ダイオード（ＬＥＤ）１０ｅが直列接続される。また、８番のピン受け端子乃至１０番のピン受け端子は、いずれも開放されている。
【００２４】
　そして、制御指示ユニット６ａ乃至６ｅにおいては、内部に接続されている識別抵抗８ａ乃至８ｅの抵抗値がそれぞれ異なる値を持つように設定されているもので、例えば制御指示ユニット６ａの識別抵抗８ａの抵抗値が１ＫΩ、制御指示ユニット６ｂの識別抵抗８ｂの抵抗値が２ＫΩ、制御指示ユニット６ｃの識別抵抗８ｃの抵抗値が３ＫΩというように、制御指示ユニット６ａ乃至６ｅ別にそれぞれ異なる抵抗値を持つものが使用選択されている。
【００２５】
　次いで、図３に図示されように、本実施例の車載機器制御装置は、自動車のインストルメントパネル１４のパネル面１５に、通常の車載用空調機器（エアコン）と同様の吹き出し風量調整用スイッチ１６、吹き出し位置調整用スイッチ１７、温度調整用スイッチ１８と隣り合わせて、複数個（図示の例は７個であるが、７個に限られるものでないことは明らかである）のユニット装着部３ａ、３ｂ、３ｃ、３ｄ、３ｅ、３ｆ、３ｇを配置している。そして、ユニット装着部３ａにはトランクを開く押釦スイッチを備えた制御指示ユニットを、ユニット装着部３ｂにはフューエル（給油）カバーを開く押釦スイッチを備えた制御指示ユニットを、ユニット装着部３ｃにはヘッドライト光軸調整を行う可変抵抗器を備えた制御指示ユニットを、ユニット装着部３ｄにはトラクションコントロール感度調整を行う可変抵抗器を備えた制御指示ユニットを、ユニット装着部３ｅにはフロントフォグランプ光量調整を行う可変抵抗器を備えた制御指示ユニットを、ユニット装着部３ｆにはリアフォグランプを点灯する押釦スイッチを備えた制御指示ユニットを、ユニット装着部３ｇにはルームランプを点灯する押釦スイッチを備えた制御指示ユニットをそれぞれ装着しているもので、装着された制御指示ユニットとともに、各制御指示ユニットの機能種別をそれぞれ表示するようにしている。
【００２６】
　前記構成による本実施例の車載機器制御装置の動作を、図１及び図２（ａ）乃至（ｅ）を用いて説明すると、次のとおりである。
【００２７】
　いま、ユニット装着部３ａに制御指示ユニット６ａ乃至６ｅの中の１つ、例えば制御指示ユニット６ａが装着されたとすると、種別判定用抵抗４ａと制御指示ユニット６ａの識別抵抗８ａとで抵抗分圧器を構成するもので、制御部１から供給される電源電圧（５Ｖ）を分圧し、分圧電圧ＶD1をユニット装着部３ａの４番のピンに発生する。このとき、４番のピンに得られた分圧電圧ＶD1は、束線を通して選択回路２の制御指示ユニット６ａに対応する入力端子に供給される。
【００２８】
　また、同様に、ユニット装着部３ｂに他の制御指示ユニット６ｂ乃至６ｅ、例えば制御指示ユニット６ｂが装着されたとすると、種別判定用抵抗４ｂと制御指示ユニット６ｂの識別抵抗８ｂとで抵抗分圧器を構成し、制御部１から供給される電源電圧（５Ｖ）の分圧電圧ＶD2をユニット装着部３ｂの４番のピンに発生する。この場合も、４番のピンに得られた分圧電圧ＶD2は、束線を通して選択回路２の制御指示ユニット６ｂに対応する入力端子に供給される。
【００２９】
　さらに、ユニット装着部３ｃに他の制御指示ユニット６ｃ乃至６ｅ、例えば制御指示ユニット６ｃが装着された場合も同様であって、種別判定用抵抗４ｃと制御指示ユニット６ｃの識別抵抗８ｃとで抵抗分圧器を構成し、制御部１から供給される電源電圧（５Ｖ）の分圧電圧ＶD3をユニット装着部３ｃの４番のピンに発生する。この場合も、４番のピンに得られた分圧電圧ＶD3は、束線を通して選択回路２の制御指示ユニット６ｃに対応する入力端子に供給される。
【００３０】
　以下、同様に、ユニット装着部３ｄにさらに別の制御指示ユニット６ｄ乃至６ｅ、例えば制御指示ユニット６ｄが装着された場合、ユニット装着部３ｄの４番のピンに種別判定用抵抗４ｄと制御指示ユニット６ｄの識別抵抗８ｄとで分圧された分圧電圧ＶD4が得られ、この分圧電圧ＶD4が選択回路２の制御指示ユニット６ｄに対応する入力端子に供給される。
【００３１】
　選択回路２のそれぞれの入力端子に供給された分圧電圧ＶD1、ＶD2、ＶD3、ＶD4は、制御部１からの走査によって順次選択され、選択された分圧電圧ＶD1、ＶD2、ＶD3、ＶD4が順次デジタル信号の形で制御部１に取り込まれるが、種別判定用抵抗４ａ乃至４ｄと識別抵抗８ａ乃至８ｄとからなる抵抗分圧器においては、種別判定用抵抗４ａ乃至４ｄの抵抗値がいずれも等しいのに対し、識別抵抗８ａ乃至８ｄの抵抗値が制御指示ユニット６ａ乃至６ｄ毎に異なっていることから、取り込まれた分圧電圧ＶD1、ＶD2、ＶD3、ＶD4は、制御指示ユニット６ａ乃至６ｄ毎にそれぞれ異なる電圧値になる。制御部１は、選択回路２を走査することにより順次取り入れた分圧電圧ＶD1、ＶD2、ＶD3、ＶD4の電圧値と、それら分圧電圧ＶD1、ＶD2、ＶD3、ＶD4の電圧値に対応する制御指示ユニット６ａ乃至６ｄの機能とを予めテーブル等の形で保持しているもので、取り入れた分圧電圧ＶD1、ＶD2、ＶD3、ＶD4の電圧値をこのテーブルの内容と対照させることにより、分圧電圧ＶD1、ＶD2、ＶD3、ＶD4を発生した制御指示ユニット６ａ乃至６ｄの機能を判定している。そして、制御部１は、その判定結果に基づき、以後、制御指示ユニット６ａ乃至６ｄのスイッチ１１ａ、１１ｂや、可変抵抗器１２ｄ、１２ｅ、または２連連動スイッチ１３ｃがそれぞれ操作された場合に、それらの操作に対応した制御指示ユニット６ａ乃至６ｅに固有の制御調整動作を対応する車載機器に対して実行するように働く。
【００３２】
　そして、分圧電圧の差は最少０．３Ｖまで識別可能であるから、多くの種類の制御指示ユニットを識別することができる。
【００３３】
　この場合、制御指示ユニット６ａ、６ｂは、前面のスイッチ操作部を押す度毎にスイッチ１１ａ、１１ｂの接点が開閉され、制御指示ユニット６ｄ、６ｅは、前面の可変抵抗器操作部を回転させることによって可変抵抗器１２ｄ、１２ｅの摺動子の位置が間歇的に調整され、制御指示ユニット６ｃは、前面のスイッチ操作部を押す度毎に２連連動スイッチ１３ｃの接点が開閉される。
【００３４】
　なお、本実施例においては、ユニット装着部３ａに制御指示ユニット６ａが、ユニット装着部３ｂに制御指示ユニット６ｂが、ユニット装着部３ｃに制御指示ユニット６ｃが、ユニット装着部３ｄに制御指示ユニット６ｄがそれぞれ装着された場合を例に挙げて説明したが、ユニット装着部３ａに制御指示ユニット６ｂ乃至６ｅのいずれかが、ユニット装着部３ｂに制御指示ユニット６ａまたは６ｃ乃至６ｅのいずれかが、ユニット装着部３ｃに制御指示ユニット６ａ乃至６ｂまたは６ｄ乃至６ｅのいずれかが、ユニット装着部３ｄに制御指示ユニット６ａ乃至６ｃまたは６ｅのいずれかがそれぞれ装着された場合の動作も、前述の場合の動作と全く同じである。
【００３５】
　このように、本実施例によれば、制御指示ユニット６ａ乃至６ｅ側に機能種別毎にそれぞれ異なる抵抗値を持った識別抵抗８ａ乃至８ｅを配置し、一方、制御機器側に識別抵抗８ａ乃至８ｅと抵抗分圧器を構成する種別判定用抵抗４ａ乃至４ｎを配置し、それぞれの抵抗分圧器から得られた分圧電圧ＶD1、ＶD2、ＶD3、ＶD4を選択する選択回路２を設けるだけで足りるので、制御指示ユニットの機能を自動判別する既知のこの種のスイッチ装置に比べ、制御指示ユニット判別部の構成を簡単にすることができる。
【００３６】
　また、本実施例によれば、制御指示ユニット判別部を汎用的な回路部品で構成できるので、車載機器制御装置の製造コストを安価にすることができる。
【００３７】
　前述の実施例においては、車載機器制御装置を自動車のインストルメントパネル等に装着される制御機器、例えば車載用空調機器（エアコン）１４等に組み込んだ場合を例に挙げて説明したが、本発明の車載機器制御装置は、車載用空調機器（エアコン）１４等に組み込んだ場合に限られるものではなく、他の車載用制御機器に組み込むようにしてもよく、車載用制御機器に類似の制御機器に組み込むようにしてもよい。
【図面の簡単な説明】
【００３８】
【図１】本発明による車載機器制御装置の実施例における主要な構成部分を示す回路図である。
【図２】本発明による車載機器制御装置に用いられる各種の制御指示ユニットの内部構成図である。
【図３】本発明による車載機器制御装置を車載用制御機器に組み込んだ場合の構成の一例を示す外観図である。
【符号の説明】
【００３９】
　１　制御部
　２　選択回路
　３ａ、３ｂ、３ｃ、…　…、３ｇ、…　…、３ｎ　ユニット装着部
　４ａ、４ｂ、４ｃ、…　…、４ｎ　種別判定用抵抗
　５ａ1 、５ａ2 、５ｂ1 、５ｂ2 、…　…、５ｎ1 、５ｎ2　 バッファ用ダイオード
　６ａ、６ｂ、６ｃ、６ｄ、６ｅ、６ｆ、６ｇ　制御指示ユニット
　７ａ、７ｂ、７ｃ、７ｄ、７ｅ　表示用ランプ
　８ａ、８ｂ、８ｃ、８ｄ、８ｅ　識別抵抗
　９ａ、９ｅ　抵抗
　１０ａ、１０ｅ　動作表示用発光ダイオード（ＬＥＤ）
　１１ａ、１１ｄ　単極スイッチ１１ａ
　１２ｂ、１２ｅ　可変抵抗器
　１３ｃ　２連単極スイッチ
　１４　車載用空調機器（エアコン）
　１５　パネル面
　１６　吹き出し風量調整用スイッチ
　１７　吹き出し位置調整用スイッチ
　１８　温度調整用スイッチ
【図１】
2004111399.tif 000003
【図２】
2004111399.tif 000004
【図３】
2004111399.tif 000005